【事件の表示】
　特許第２７７３２３０号「テレビカメラのレンズ装置」の請求項１ないし２に係る特許に対する特許異議の申立てについて、次のとおり決定する。
【結論】
　訂正を認める。
　特許第２７７３２３０号の請求項１に係る特許を維持する。
【理由】
Ｉ．手続きの経緯
　本件特許第２７７３２３０号の請求項１、２に係る発明についての出願は平成１年４月２７日に特許出願され、平成１０年４月２４日に設定登録され、その後、キヤノン株式会社より特許異議の申立てがなされ、取消理由通知がなされ、その指定期間内である平成１１年７月１２日に訂正請求がなされたものである。
ＩＩ．訂正の適否
ア．訂正請求の内容
　平成１１年７月１２日付け訂正請求の内容は以下のとおりである。
（１）特許請求の範囲を下記のとおり訂正する。
「カメラ本体に連結して設けたレンズ鏡胴の外周面にフォーカス用，ズーム用及びアイリス用の各リングギヤを設けたテレビカメラのレンズ装置において、撮影者の手の平が当接可能なグリップ本体と、このグリップ本体に手を当接させた状態に保持するバンドとからなり、グリップ本体の上部にズーム操作部材が設けられ、前記レンズ鏡胴の側面に前記各リングギヤの一部を覆うようにグリップ部を設け、該グリップ部を構成するグリップ本体と前記レンズ鏡筒の側面との間に収容空間を形成して、この収容空間内にフォーカス，ズーム及びアイリス駆動用の各モータ、及びこれら各モータにより駆動される各伝達手段を装着し、前記各リングギヤのうち、アイリス用リングギヤにはアイリス伝達手段を直接係合し、またフォーカス用リングギヤ及びズーム用リングギヤには、それぞれクラッチを介してフォーカス及びズームの各伝達手段と接続し、該各クラッチの操作部材を前記グリップ本体の下端部から外に延在させて設ける構成としたことを特徴とするテレビカメラのレンズ装置。」
（２）明細書８頁１６行〜９頁９行（特許掲載公報５欄４〜１８行）の「本発明は、…構成とした」を「本発明は、カメラ本体に連結して設けたレンズ鏡胴の外周面にフォーカス用，ズーム用及びアイリス用の各リングギヤを設けたテレビカメラのレンズ装置であって、撮影者の手の平が当接可能なグリップ本体と、このグリップ本体に手を当接させた状態に保持するバンドとからなり、グリップ本体の上部にズーム操作部材が設けられ、前記レンズ鏡胴の側面に前記各リングギヤの一部を覆うようにグリップ部を設け、該グリップ部を構成するグリップ本体と前記レンズ鏡筒の側面との間に収容空間を形成して、この収容空間内にフォーカス，ズーム及びアイリス駆動用の各モータ、及びこれら各モータにより駆動される各伝達手段を装着し、前記各リングギヤのうち、アイリス用リングギヤにはアイリス伝達手段を直接係合し、またフォーカス用リングギヤ及びズーム用リングギヤには、それぞれクラッチを介してフォーカス及びズームの各伝達手段と接続し、該各クラッチの操作部材を前記グリップ本体の下端部から外に延在させて設ける構成とした」と訂正する。
（３）明細書１１頁１〜２行（特許掲載公報５欄４７〜４８行）の「撮影状況に容易に対する」を「撮影状況への」と訂正する。
（４）明細書１９頁１５行（特許掲載公報８欄３７行）の「側に位置」を「側の位置」と訂正する。
（５）明細書２０頁１行（特許掲載公報８欄４１行）の「クラッチギヤ１４」を「クラッチギヤ２３」に訂正する。
（６）明細書２１頁１４行，１５行及び１６行（特許掲載公報９欄１８〜１９行、１９行及び２０行）の「突起１６ｂ」を「突起１６ａ」に訂正する。
ウ．訂正の目的の適否、新規事項の有無及び拡張・変更の存否
　上記（１）の訂正は、特許請求の範囲の減縮を目的とするものであり、実質的に特許請求の範囲を拡張・変更するものではなく、また、新規事項の追加にも該当しない。
　上記（２）の訂正は、（１）の訂正により特許請求の範囲が訂正されたのに応じて、特許明細書の発明の詳細な説明を訂正し、特許請求の範囲の記載と発明の詳細な説明の記載との整合を図るものであるので、明りょうでない記載の釈明に該当し、また上記（３）〜（６）の訂正は、誤記の訂正に該当し、上記（２）〜（６）の訂正はいずれも実質的に特許請求の範囲を拡張・変更するものではなく、新規事項の追加にも該当しない。
エ．独立特許要件
１．特許法２９条第２項違反
（本件発明）
　平成１１年７月１２日付け訂正請求により訂正された特許請求の範囲の請求項１に係る発明は、訂正された特許明細書及び図面の記載からみて、その特許請求の範囲の請求項１に記載されたとおりのもの（以下「本件発明」という。）と認める。
（引用刊行物）
　これに対して、当審が取消理由通知で引用した特開昭５５−６４２２６号公報には、ビデオテープレコーダ用のカメラなどに使用されるレンズ系の駆動制御機構付カメラに関し、フォーカス調整リング４と、ズーム調整リング３と、アイリス調整リング２をカメラ本体の鏡筒１の外周面に設けること（２頁左上欄１８行〜同頁右上欄４行）、レンズ鏡筒１の側面に各リング２、３、４の一部を覆うようにケース６６を設け、アイリスマニュアルスイッチ６７を設けること（７頁左上欄１４行〜１８行）の開示がある。
　また、ケース６６と鏡筒１の側面との間に第１図に示すように収容空間を形成して、この収容空間内にフォーカス、ズーム及びアイリス駆動用のモータ１０により駆動されるプーリ１２、減速ギア１４、駆動ギア９、出力軸８を装着すること（２頁右上欄１０〜１８行）、アイリス調整リング２には回転制御機構１８が係合されること（２頁左下欄第３〜８行）、フォーカス用調整リング４とズーム用調整リング３にはそれぞれ回転制御機構１９、２０と係合して、揺動部材２１の揺動により対のアイドラ３１、３２を選択的に各リングに接触して接続すること（２頁左下欄８行〜３頁左上欄６行）の開示がある。
　ズームやフォーカスを手動操作する場合には、第４図（ａ）に示すように揺動部材２１によりアイドラ３１、３２の両者をリングから離して実行すること（３頁右下欄９行〜４頁右上欄９行）、第７図に示すように回転機構１９の揺動部材２１を制御するためのズ−ム用ボタン６２、フォーカス用ボタン６４があること（６頁左下欄１５行〜７頁左上欄８行）の開示がある。
　更に、鏡筒１に支柱５、５が着脱可能に止めネジ６によって固着されること（２頁右上欄７行）、ケース６６ががこれらを覆うように構成されていること（第９図）の開示がある。
　同じく刊行物２（実願昭６１−２０３２３０号（実開昭６３−１０６２７６号）のマイクロフィルム）は第５図に示すようにカメラ用レンズに関するものであり、カメラに装着可能に結合されるマウント部３８を有すること（５頁５〜９行）、レンズ鏡筒３５に機構部カバー１１を設け、この機構部カバ−１１の外側に回路部カバー１２を設けること（５頁１０〜２０行）、レンズグリップを駆動機構３６を内蔵する機構部１１と電気回路を内蔵する回路部カバー１２とに分離すること（６頁５〜９行）の開示がある。また、レンズグリップである回路部カバー１２、機構部カバー１１内には、パワーズームやパワーフォーカスを行うためのモータ、またこのモータを駆動源とした歯車列のレンズ駆動機構３６を内蔵すること（２頁１７行〜３頁４行及び５頁１０〜１７行）の開示がある。
　更に、機構部カバー１１はレンズ鏡筒３５の側面にビス３４により固着され、機構部カバー１１の外側に回転自在に装着されたレンズグリップとして機能する回路部カバー１２が設けられていること（５頁１０〜２０行）の開示がある。
　同じく刊行物３（特開昭５９−２９２１１号公報）はレンズの自然移動防止装置に関するものであり、特に第２図においては筐体２１内に、移動レンズ８を駆動するための電動機２２、連結機構２０を収納し、連結機構２０を介して操作リング６を駆動すること（２頁左下欄１〜６行）、また第３図に示すように、筐体の外に設けたクラッチつまみ３８を回転させることにより、クラッチとして作用する切換部材２９が左右方向に移動されて、アイビル歯車３５とモータ歯車２５との連結、並びに連結を解除でき、手動操作への切換えが可能となること（２頁左下欄１４行〜右下欄１７行及び３頁右上欄８行〜左下欄２行）の開示がある。
　同じく刊行物４（株式会社写真工業出版社　１９８８年１２月２０日発行　「最新ヒデオ技術マニュアル」ｐ．５８−７１）には「ハンディカメラの場合は、ほとんどのカメラが電動ズームが付いており、手動ズームにも切替えができるようになっている。」（ｐ．６０、「２／４　ズ−ム操作」の項）、「オートアイリスも、電動ズ−ムと同様手動に切替えることが可能である。手動に切替えた場合には、絞りリングを直接手で動かすようになっている。ドライブモータがかみ合ったままなのでやや重いが、業務用、放送用はすベてこのタイプとなっている。」（ｐ．６１　「２／５　オートアイリス」の項）という記載がある。
　同じく刊行物５（特開昭６２−５７３７２号公報）には、フォーカス、ズーム、絞り用のモータが別々に設けられていることが記載されている。
（対比・判断）
　本件発明と刊行物１〜５に記載の発明とを対比すると、刊行物１〜５には本件発明の構成要件である「撮影者の手の平が当接可能なグリップ本体と、このグリップ本体に手を当接させた状態に保持するバンドとからなり、グリップ本体の上部にズ−ム操作部材が設けられ・・・該各クラッチの操作部材を前記グリップ本体の下端部から外に延在させて設ける」ことについて記載されておらず、その示唆もない。
　また、上記構成は、当該技術分野において周知・自明な事項でもない。
　そして、本件発明は、上記構成要件を備えることにより、特許明細書記載の本件発明に特有の作用効果を奏するものである。
　したがって、本件発明は上記刊行物１〜５に記載された発明に基づいて当業者が容易に発明をすることができたものとすることはできない。
２．特許法第３６条第３項、第４項違反
　訂正前の特許明細書の詳細な説明及び図面には請求項２に係る発明の構成が明確に記載されておらず、特許法第３６条第３項、第４項の規定に違反していたが、訂正請求により請求項２が削除されたので、訂正された本件特許明細書は特許法第３６条第３項、第４項の規定を満たすものとなった。
（むすび）
　よって、本件発明は、特許出願の際独立して特許を受けることができないものとすることはできない。
オ．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する第１２６条第２項乃至第４項の規定に適合するので、当該訂正を認める。
ＩＩＩ．特許異議申立てについて
ア．特許異議申立ての理由の概要
　特許異議申立人・キヤノン株式会社は、甲第１号証（特開昭５５−６４２２６号公報）、甲第２号証（実願昭６１−２０３２３０号（実開昭６３−１０６２７６号）のマイクロフィルム）、甲第３号証（特開昭５９−２９２１１号公報）、参考資料（株式会社写真工業出版社　１９８８年１２月２０日発行　「最新ビデオ技術マニュアル」ｐ．５８−７１）を提示し、訂正前の請求項１、２に係る発明は、甲第１〜４号証記載の発明に基づいて当業者が容易に発明をすることができたものであるから、特許法第２９条第２項の規定に違反しており、また訂正前の請求項２は特許法第３６条第３項、第４項の規定に違反しているので、訂正前の請求項１、２に係る発明の特許は取り消されるべきである旨主張している。
イ．対比・判断
　特許異議申立人が提示した甲第１〜３号証は、それぞれ取消理由通知に引用した刊行物１〜３であり、また参考資料は刊行物４であるから、各々ＩＩ．訂正の適否エ．独立特許要件１．特許法２９条第２項違反（引用刊行物）に示した発明が記載されている。
　そして、上記ＩＩ．訂正の適否エ．独立特許要件１．特許法２９条第２項違反（対比・判断）において判断したとおり、訂正後の特許請求の範囲の請求項１に記載された発明である本件発明は、甲第１〜３号証、参考資料に記載された発明に基づいて、当業者が容易に発明をすることができたものとすることはできない。
　また、上記ＩＩ．訂正の適否エ．独立特許要件２．特許法第３６条第３項、第４項において判断したとおり、訂正請求により請求項２が削除されたので、訂正された本件特許明細書は特許法第３６条第３項、第４項の規定を満たすものとなった。
ウ．むすび
　以上のとおりであるから、特許異議の申立ての理由及び証拠によっては本発明の特許を取り消すことはできない。
　また、他に本件発明の特許を取り消すべき理由を発見しない。
　よって結論のとおり決定する。
【異議決定日】
平成１１年８月２３日（１９９９．８．２３）
【訂正の要旨】
訂正の要旨
１．特許請求の範囲の訂正
ａ．特許請求の範囲の記載を、特許請求の範囲の減縮を目的として下記の通りに訂正する。
「カメラ本体に連結して設けたレンズ鏡胴の外周面にフォーカス用，ズーム用及びアイリス用の各リングギヤを設けたテレビカメラのレンズ装置において、撮影者の手の平が当接可能なグリップ本体と、このグリップ本体に手を当接させた状態に保持するバンドとからなり、グリップ本体の上部にズーム操作部材が設けられ、前記レンズ鏡胴の側面に前記各リングギヤの一部を覆うようにグリップ部を設け、該グリップ部を構成するグリップ本体と前記レンズ鏡筒の側面との間に収容空間を形成して、この収容空間内にフォーカス、ズーム及びアイリス駆動用の各モータ、及びこれら各モータにより駆動される各伝達手段を装着し、前記各リングギヤのうち、アイリス用リングギヤにはアイリス伝達手段を直接係合し、またフォーカス用リングギヤ及びズーム用リングギヤには、それぞれクラッチを介してフォーカス及びズームの各伝達手段と接続し、該各クラッチの操作部材を前記グリップ本体の下端部から外に延在させて設ける構成としたことを特徴とするテレビカメラのレンズ装置。」
２．発明の詳細な説明の訂正
ｂ．明細書８頁１６行〜９頁９行（特許掲載公報５欄４〜１８行）の「本発明は、…構成とした」を明りょうでない記載の釈明を目的として、「本発明は、カメラ本体に連結して設けたレンズ鏡胴の外周面にフォーカス用，ズーム用及びアイリス用の各リングギヤを設けたテレビカメラのレンズ装置であって、撮影者の手の平が当接可能なグリップ本体と、このグリップ本体に手を当接させた状態に保持するバンドとからなり、グリップ本体の上部にズーム操作部材が設けられ、前記レンズ鏡胴の側面に前記各リングギヤの一部を覆うようにグリップ部を設け、該グリップ部を構成するグリップ本体と前記レンズ鏡筒の側面との間に収容空間を形成して、この収容空間内にフォーカスメ゛−ム及びアイリス駆動用の各モータ及びこれら各モータにより駆動される各伝達手段を装着し、前記各リングギヤのうち、アイリス用リングギヤにはアイリス伝達手段を直接係合し、またフォーカス用リングギヤ及びズ−ム用リングギヤには、それぞれクラッチを介してフォーカス及びズ−ムの各伝達手段と接続し、該各クラッチの操作部材を前記グ乃１本体の下端部から外に延在させて設ける構成とした」と訂正する。
ｃ．明細書１１頁１〜２行（特許掲載公報５欄４７〜４８行）の「撮影状況に容易に対する」を誤記の訂正を目的として、「撮影状況への」と訂正する。
ｄ．明細書１９頁１５行（特許掲載公報８欄３　７行）の１側に位置」を誤記の訂正を目的として、「側の位置」と訂正する。
ｅ．明細書２０頁１行（特許掲載公報８欄４１行）の「クラッチギヤ１４」を誤記の訂正を目的として、「クラッチギヤ２３」訂正する。
ｆ．明細書２１頁１４行，１５行及び１６行（特許掲載公報９欄１８〜１９行、１９行及び２０行）の「突起１６ｂ」を誤記の訂正を目的として、「突起１６ａ」に訂正する。
（５４）【発明の名称】
　テレビカメラのレンズ装置
（５７）【特許請求の範囲】
　カメラ本体に連結して設けたレンズ鏡胴の外周面にフォーカス用，ズーム用及びアイリス用の各リングギャを設けたテレビカメラのレンズ装置において、
撮影者の手の平が当接可能なグリップ本体と、このグリップ本体に手を当接させた状態に保持するバンドとからなり、グリップ本体の上部にズーム操作音材が設けられ、
の下端部から
【発明の詳細な説明】
「産業上の利用分野」
　本発明は、テレビカメラを三脚等の固定台上に固定した状態で撮影することもでき、また屋外等に持ち運んで撮影することができるようにもするために、レンズにグリップ部を着脱可能にまたは固定的に設けたテレビカメラのレンズ装置に関するものである。
［従来の技術］
　テレビカメラは、スタジオ等において三脚その他の固定台上に設置した状態で撮影を行う固定式のものと、屋外等で撮影する者が手で持って撮影することができるようにした可搬式乃至ハンディタイプのものとがある。
　固定式のテレビカメラにおいては、操作者はテレビカメラの後方位置において操作するようになっているので、レンズの操作、例えばズーム操作やフォーカス操作等もテレビカメラの後方位置で遠隔操作により行うようにしている。このために、レンズ鏡胴には、ズーム駆動機構及びフォーカス駆動機構を有する駆動ユニットを装着し、この駆動ユニットのうち、ズーム駆動機構及びフォーカス駆動機構の作動を制御するコントロール機構を操作者の手元に設け、これら各駆動機構とコントロール機構との間をケーブルで接続するようにしている。また、絞りは通常自動絞りとなっており、被写体の明るさを露出計により測定して、この測定結果に基づいて絞り位置の調整が行われるが、この露出計からの信号に基づいて絞りを駆動するために、アイリス制御機構がレンズ鏡胴に設けられる。
　而して、前述した駆動ユニットとしては、ハウジング内にズーム駆動用モータ，フォーカス駆動用モータ及びアイリス駆動用モータを内蔵し、これら各モータの出力軸に伝達手段としての伝達ギヤを連結している。そして、これら各伝達ギヤにはそれぞれ駆動ギヤが噛合しており、またこれら各駆動ギヤは、レンズ鏡胴の外周面に設けたズームリングに連設したズーム用のリングギヤ，フォーカスリングに連設したフォーカス用のリングギヤ及びアイリスリングに連設したアイリス用のリングギヤにそれぞれ噛合している。
　従って、例えばズームコントロール機構を操作すると、ズーム駆動用モータが作動して、その伝達ギヤが回転し、該伝達ギヤと噛合する駆動ギヤが回転駆動せしめられ、該駆動ギヤに噛合するズーム用のリングギヤが回転してレンズのズーム動作が行われることになる。また、フォーカスコントロール機構を操作した場合も、前述と同様にしてフォーカス用のリングギヤが回転して焦点合せを行うことができるようになる。一方、アイリス操作はカメラ側に設けた自動絞り調節機構からの信号に基づいてアイリス駆動用モータが作動して、アイリス用のリングギヤが回転することになる。
　これに対して、ハンディタイプのテレビカメラにあっては、レンズにおける前述した各操作は手動で行われることになる。
　然るに、撮影操作中において、テレビカメラを安定させるために、レンズ鏡胴にグリップ本体とバンドとからなるグリップ部が着脱可能または固定的に取り付けられるようになっており、このグリップ部をレンズ鏡胴に取り付けて、グリップ本体とバンドとの間に手を挿入して、手の平をグリップ本体の表面に当接させることにより、レンズを支持することができるようにしている。そこで、このグリップ部を利用して、アイリス及びズームの各リングギヤを自動回転させるようにしたものが、従来から用いられている。
　即ち、グリップ本体内にアイリス駆動用モータ及びズーム駆動用モータとを設けると共に、これら各モータを、アイリス用リングギヤ及びズーム用リングギヤを回転させるためのギヤ等からなる伝達手段に接続させるようにしている。そして、アイリス駆動用モータはカメラ側に設けた自動絞り調節機構からの信号により作動制御が行われることになる。また、ズーム作動は、グリップ本体に、このグリップ装置を把持する手の指で操作可能な位置にシーソ式のズーム操作部材を設け、該ズーム操作部材の揺動操作子を押動することにより行う構成となっている。そして、この揺動操作子の押し込み量に応じた速度でズーム駆動モータが作動して、ズームリングが回転することになる。
　然るに、近年においては、テレビカメラの小型化，高性能化が図られるようになってきており、撮影者が持ち運びながら撮影を行うことができる程度に小型，軽量なテレビカメラであっても、スタジオ内等における撮影に十分に耐えられるだけの極めて高画質の撮影が可能となっている。
　従って、かかる小型テレビカメラにあっては、スタジオ内等において撮影する場合には、その安定性，操作性等の見地から、三脚等の固定台上に装着して撮影が行うことができ、また屋外等で撮影を行う場合には、撮影者が持ち運びながら撮影することもできるようにすることが望まれる。そこで、このテレビカメラを固定台上に設置した場合には、レンズの作動を遠隔操作により行うことができる構造となっていなければならないが、アイリス駆動機構及びズーム駆動機構の遠隔操作を行うためには、グリップ本体内に設けたモータを用いることができる。然るに、フォーカスリングを駆動する機構はグリップ装置には設けられてはおらず、このために、従来は、別途フォーカス駆動用モータ等を備えたアダプタを用い、テレビカメラを固定台上に設置して撮影を行う場合には、このアダプタをレンズ鏡胴に取り付けるようにしていた。
「発明が解決しようとする課題」
　ところで、前述したように、固定台上にテレビカメラを設置して撮影することを可能ならしめるために、フォーカス駆動機構を内蔵したアダプタをレンズ鏡胴に装着するようにした場合には、テレビカメラを持ち運びながら撮影を行う場合等のように、フォーカス操作を手動で行うには、該アダプタを取り外さなければならず、このように撮影状況に応じてアダプタを着脱する作業は極めて面倒であるという欠点があった。
　本発明は叙上の点に鑑みてなされたものであって、その目的とすることろは、固定台上に設置して撮影を行う場合と、撮影者が持ち運びながら撮影する場合とに共用することができるようにしたテレビカメラのレンズ装置を提供することにある。
［課題を解決するための手段］
　前述した目的を達成するために、本発明は、カメラ本体に連結して設けたレンズ鏡胴の外周面にフォーカス用，ズーム用及びアイリス用の各リングギヤを設けたテレビカメラのレンズ装置であって、
撮影者の手の平が当接可能なグリップ本体と、このグリップ本体に手を当接させた状態に保持するバンドとからなり、グリップ本体の上部にズーム操作音材が設けられ、
の下端部から
［作用］
　このように構成することによって、レンズ装置において、遠隔操作でレンズ装置を制御するためのフォーカス，ズーム及びアイリスの各駆動機構の収容部と、手動操作でレンズ装置を制御するためのグリップ部とを兼ねることができ、クラッチによりフォーカス用リングギヤ及びズーム用リングギヤとそれらの伝達手段との間の接続を遮断させたときには、フォーカスリング及びズームリングを手で容易に回転させることができるようになり、手動操作によってフォーカス操作及びズーム操作を行いながら撮影することができる。
　また、グリップ本体にシーソ式のズーム操作部材を設け、このズーム操作部材の操作によってズーム操作を行い、フォーカス操作は手動で行う場合には、ズーム用リングギヤとその伝達手段との間は接続し、フォーカス用リングギヤとその伝達手段との間の接続を遮断するようにクラッチを切り換えればよい。
　さらに、三脚等の固定台上にテレビカメラを設置して、遠隔操作によりズーム操作及びフォーカス操作を行う場合には、ズーム用リングギヤ及びフォーカス用リングギヤがそれぞれの伝達手段と接続する状態にクラッチを切り換える。
　このように、クラッチの切り換えという簡単な操作だけにより、ズーム機構及びフォーカス機構を手動操作とモータ駆動による自動操作とに切り換わることになり、ハンディタイプの小型カメラを屋外等に持ち運んで撮影する場合と、スタジオ内等において三脚等の固定台上に設置して撮影する場合とのように、異なる撮影状況
への
［実施例］
　以下、本発明の実施例を図面に基づいて詳細に説明する。
　まず、第１図において、１はカメラ本体，２はレンズ鏡胴，３はグリップ部をそれぞれ示し、レンズ鏡胴２には、第２図に示したように、フォーカスリング４，ズームリング５及びアイリスリング６が設けられており、これら各リング４〜６を回転させることによって、フォーカス操作，ズーム操作及びアイリス操作を行うことができるようになっている。また、これらフォーカスリング　４，ズームリング５及びアイリスリング６にはそれぞれフォーカス用リングギヤ４ａ，ズーム用リングギヤ５ａ及びアイリス用リングギヤ６ａが連設されている。
　グリップ部３は、ベース部７ａとカバー部７ｂとを有するグリップ本体７と、該グリップ本体７のカバー部７ｂから突出する状態に設けた取付け部７０，７１間に架け渡されたバンド８とから構成される。そして、該グリップ部３は、そのグリップ本体７のベース部７ａに設けた連結部７２にビス９を締着することにより、レンズ２の鏡胴に着脱可能に装着することができるようになっている。従って、第１図から明らかなように、親指以外の４本の指をグリップ本体７とバンド８との間に挿入して、手の平をグリップ本体７のカバー部７ｂの表面に当接させると共に、親指と人差指との間で取付け部７０を挟み込むようにして把持することができるようになっている。
　次に、第３図にグリップ本体７の内部構造を示す。
　同図から明らかなように、グリップ本体７を構成するベース部７ａとカバー部７ｂとの間には、所定の空間が形成されており、この空間は収容空間として利用され、この収容空間内に、フォーカスリング４のフォーカス用リングギヤ４ａを回転駆動するためのフォーカス駆動機構１０と、ズームリング５に連設したズーム用リングギヤ５ａを回転駆動するズーム駆動機構２０と、アイリスリング６のアイリス用リングギヤ６ａを回転駆動するアイリス駆動機構３０とが設けられている。また、これら各駆動機構１０，２０，３０の作動制御用の回路が設けられた基板４０が設けられ、さらに、ズームリング５の作動を、グリップ部３を把持する手の指の押動操作で行うためのシーソ式のズーム操作部材５０が装着されている。なお、これら基板４０及びズーム操作部材５０については、第３図においては図示を省略し、第７図に示す。
　フォーカス駆動機構１０は、第４図に示したように、フォーカス駆動用モータ１１と、該モータ１１の出力軸１１ａに取り付けた伝達ギヤ１２と、軸１３にその軸方向に移動可能なクラッチギヤ１４及びフォーカス用リングギヤ４ａに噛合する駆動ギヤ１５を有し、これら出力軸１１ａ，軸１３及び駆動ギヤ１５の支軸１５ｂは取付板１６に取り付けられている。さらに、この取付板１６には、ポテンショメータ１７が取り付けられており、該ポテンショメータ１７０入力軸１７ａが取付板１６を貫通して延び、この入力軸１７ａに装着した入力用ギヤ１７ｂが駆動ギヤ１５に連設した変速ギヤ１５ａと噛合している。また、モータ１１を固定するために、該モータ１１の周胴部には取付金具１８ａ，１８ｂが巻着されており、該各取付金具１８ａ，１８ｂはビス１９によりグリップ本体７のベース部７ａに固定されるようになっている。さらに、取付板１６におけるポテンショメータ１７装着側の端部がビス１９によりグリップ本体７のベース部７ｂに固着されている。さらにまた、このビス１９取り付け側とは反対側には、グリップ本体７のベース部７ａ内面に設けた段部に当接する突起１６ａが設けられている。
　次に、ズーム駆動機構２０は、第５図に示したように、ズーム駆動用モータ２１を有し、該モータ２１の出力軸２１ａには伝達ギヤ２２が取り付けられており、該伝達ギヤ２２はクラッチギヤ２３と噛合している。このクラッチギヤ２３は軸２４に挿通されて、該軸２４の軸線方向に移動可能となっており、これによりズーム用リングギヤ５ａと係脱させることができる構成となっている。また、このズーム用リングギヤ５ａの回転角を検出するために、ポテンショメータ２５が設けられ、その入力軸２５ａには入力用ギヤ２５ｂが連結されて、該入力用ギヤ２５ｂはズーム用リングギヤ５ａに噛合する変速ギヤ２５ｃと噛合している。そして、これらモータ２１の出力軸２１ａ，クラッチギヤ２３を支持する軸２４及びポテンショメータ２５はベース部７ａに固着した取付部材２７に固定されると共に、モータ２１の周胴部には固定用金具２８が巻着されており、これら取付部材２７及び固定用金具２８はビス２９によりベース部７ａに固着されている。
　さらに、アイリス駆動機構３０は、第６図に示したように、アイリス駆動用モータ３１を有し、該アイリス駆動用モータ３１の出力軸３１ａには伝達ギヤ３２が取り付けられている。そして、該伝達ギヤ３２は駆動ギヤ３３と噛合しており、またこの駆動ギヤ３３にはポテンショメータ３４０入力軸３４ａに直接連結され、この駆動ギヤ３３はアイリス用リングギヤ６ａと噛合している。これらモータ３１の出力軸３１ａ，駆動ギヤ３３及びポテンショメータ３４は、ビス３５によりベース部７ａに固着した取付板３６に固定されるようになっている。
　前述したフォーカス駆動機構１０の駆動ギヤ１５，ズーム駆動機構２０のクラッチギヤ２３及びアイリス駆動機構３０の駆動ギヤ３３は、いずれもグリップ本体７のベース部９ａに設けた開口を介してその一部がグリップ本体７の外部に突出せしめられ、この突出部分においてそれぞれフォーカス用リングギヤ４ａ，ズーム用リングギヤ５ａ及びアイリス用リングギヤ６ａと噛合している。
　次に、第７図及び第８図にグリップ本体７の内蔵物の配置関係を示す。
　同図から明らかなように、ズーム操作部材５０の本体部５１は、グリップ本体７の上部に固着して設けた取付板５２に装着されており、その揺動操作子５３はカバー部７ｂにおける上端の曲折部分から上方に突出せしめられている。これにより、グリップ部３を把持する手の指で該揺動操作子５３の左右いずれか側の押し下げ操作を行うことができるようになっている。また、カバー部７ｂの内面に沿うようにして基板４０が装着されており、この基板４０は取付板５２に固着されている。そして、この基板４０からのコード４１は、第１図に示したように、カメラ本体１に接続されている。
　一方、フォーカス駆動機構１０，ズーム駆動機構２０及びアイリス駆動機構３０はグリップ本体７内におけるズーム操作部材５０と基板４０と干渉しない位置に設けられている。まず、取付板５２を上方とすると、最上部にはアイリス駆動機構３０が設けられ、その下部にはズーム駆動機構２０が、さらにその下部にはフォーカス駆動機構１０が配設されている。
　最上部に位置するアイリス駆動機構３０のモータ３１は、ズーム操作部材５０の本体部５１とベース部７ａとの間の位置に配設されて、駆動ギャ３３及びポテンショメータ３４は該モータ３１より下方の位置に設けられている。
　ズーム駆動用モータ２１は、グリップ本体７内の中央より下方の位置に配設されており、このモータ２１と噛合するクラッチギヤ２３は、該モータ２１よりベース部７ａ側に位置し、ポテンショメータ２５と、その入力軸２５ａに取り付けた入力用ギヤ２５ｂはモータ２１より上方に配置されている。
　さらに、最下部に位置するフォーカス駆動機構１０のモータ１１は、最下部に位置せしめられ、このモータ１１に取り付けた伝達ギヤ１２に噛合するクラッチギヤ１４は、それより上方に、また駆動ギヤ１５は該クラッチギヤ１４より上方に、ポテンショメータ１７及びその入力軸１７ａに設けた入力用ギヤ１７ｂはさらにその上方に配設されている。
　しかも、アイリス駆動用モータ３１，ズーム駆動用モータ２１及びフォーカス駆動用モータ１１のうち、アイリス駆動用モータ３１はグリップ本体７のベース部７ａに沿う状態に配設されているが、ズーム駆動用モータ２１は、そのクラッチギヤ２３と干渉しないようにするために、ベース部７ａから所定間隔離間せしめられている。さらに、フォーカス駆動用モータ１１は、クラッチギヤ３３だけでなく、該モータ１１の出力軸１１ａに設けた伝達ギヤ１２と噛合するクラッチギヤ１４が、該伝達ギヤ１２よりベース部７ａ側の位置に配設されている関係から、ズーム駆動用モータ２１よりベース部７ａから離間せしめられている。
　ここで、ズーム、駆動用モータ２１の出力軸２１ａに設けた伝達ギヤ２２に噛合するクラッチギヤ
２３
　さらに、フォーカス駆動用モータ１１をベース部７ａから浮かせた位置に設けているので、それを安定した状態に固定するために、該モータ１１の周胴部に取付け金具１８ａ，１８ｂを装着すると共に、その出力軸１１ａが取り付けられる取付板１６の一端がベース部７ａに固着され、他端に突起
１６ａ
１６ａ
１６ａ
　而して、グリップ本体７の内蔵物を前述のように配置することにより、該グリップ本体７カバー部７ｂが手の平の形状に合せた特殊な曲面形状となっており、しかもこの内部に平板状の基板４０を収納させているにも拘らず、このグリップ本体７の内部における収容空間にデッドスペースを生じさせることなく有効に活用し、コンパクトに各部材を収納することができるようになる。
　ところで、フォーカス駆動機構１０及びズーム駆動機構２０には、それぞれモータ１１，２１とフォーカス用リングギヤ４ａ，ズーム用リングギヤ５ａとの間を接離するために、クラッチギヤ１４，２３が設けられているが、これらクラッチギヤ１４，２３をそれぞれ軸１３，２４に沿って摺動させることにより、モータとリングギヤとの間を接離させるためにクラッチ操作部材が設けられている。
　フォーカスクラッチ操作部材６０，ズームクラッチ操作部材６１は、第９図に示したように、操作軸６０ａ，６１ａと、該操作軸６０ａ，６１ａの上端部に設けた偏心ピン６０ｂ，６ｌｂとからなるもので、操作軸６０ａ，６１ａの下端部をベース部７ａの下端の曲折部分を貫通させて外部に延在すると共に、偏心ピン６０ｂ，６ｌｂをそれぞれクラッチギヤ１４，２３に係合させるように構成されている。従って、操作軸６０ａ，６１ａを所定角度回動させることにより、クラッチギヤ１４，２３は軸１３，２４に沿って移動して、モータ１１，２１とリングギヤ４ａ，５ａとの間の接離を行わせることができるようになっている。しかも、これら操作軸６０ａ，６１ａはグリップ本体７の下端部において並列状態にして設けられているので、その操作性が良好となる。
　本発明に係るテレビカメラのレンズ装置は前述のように構成されるもので、テレビカメラにおけるレンズ鏡胴２にこのグリップ部３を取り付けた状態にして各種の状況に応じた撮影が可能となる。
　まず、クラッチ操作部材６０，６１の操作軸６０ａ，６１ａを操作することにより、モータ１１，２１とリングギャ４ａ，５ａとの間の接続を遮断した状態にする。これにより、フォーカスリング４及びズームリング５は手動操作により回転させることができるようになり、この回転操作に対してモータ１１，２１の負荷が作用することがないので、軽い操作力で操作することができ、しかもこれらフォーカスリング４及びズームリング５の位置決めも正確に行うことができ、動作時に騒音等が発生することはない。
　また、グリップ本体７に設けたズーム操作部材５０の操作によってズーム操作を行い、フォーカス操作は手動で行う場合には、ズーム用リングギヤ５ａとクラッチ２３との間が接続するようにズームクラッチ操作部材６１を切り換え、フォーカス用リングギヤ４ａに噛合する駆動ギヤ１５とクラッチギヤ１４との間はフォーカスクラッチ操作部材６０により接続を遮断するようにクラッチを切り換えればよい。これにより、フォーカスリング４のみが手動操作で回転させることができ、ズーム操作はズーム操作部材５０により操作することができるようになる。
　さらに、三脚等の固定台上にテレビカメラを設置して、遠隔操作によりズーム操作及びフォーカス操作を行う場合には、フォーカスクラッチ操作部材６０，ズームクラッチ操作部材６１によりフォーカス用リングギヤ４ａ及びズーム用リングギヤ５ａがそれぞれモータ１１，２１により駆動させる状態に切り換えるようにする。従って、この場合には、グリップ部３はレンズ装置２の駆動ユニットの収容部として機能することになる。
　前述した如く、フォーカスクラッチ操作部材６０，ズームクラッチ操作部材６１の切り換えという簡単な操作で、屋内等における固定台上にテレビカメラを設置して撮影を行うことも、また屋外等に撮影者が持ち運んで撮影を行うこともできるようになり、しかもフォーカスクラッチ操作部材６０及びズームクラッチ操作部材６１の操作軸６０ａ，６１ａはグリップ本体７の下部に並べて設けられているので、その操作性が極めて良好である。［発明の効果］
　以上説明したように、本発明は、レンズ鏡胴にグリップ部を設けて、このグリップ部のグリップ本体に所定の収容空間を設けて、レンズ装置を自動的に操作する場合に必要なフォーカス駆動機構，ズーム駆動機構及びアイリス駆動機構を設けることにより、テレビカメラを三脚等に固定して遠隔操作で撮影する際等のための駆動ユニットの収容部として機能させると共に、このグリップ本体に設けたズーム駆動機構，フォーカス駆動機構にクラッチを設けることによって、野外等に持ち運んで撮影する際には、グリップ部を手で把持することによりレンズ装置を安定的に保持すると共に、レンズ装置の操作を手動で行うことができる状態に切り換えることができ、テレビカメラを三脚等の固定台上に設置して撮影したり、屋外等に持ち運んで撮影する場合等に極めて容易に対応することができるようになる等の効果を奏する。
【図面の簡単な説明】
　図面は本発明の一実施例を示すもので、第１図はテレビカメラの要部外観図、第２図はレンズの外観図、第３図は一部を省略して示すグリップ本体の内部構造図、第４図はフォーカス駆動機構の構成説明図、第５図はズーム駆動機構の構成説明図、第６図はアイリス機構の構成説明図、第７図はカバー部を取り外して示すグリップ本体の左側面図、第８図はカバー部を取り外して示すグリップ本体の要部右側面図、第９図はクラッチ機構の構成説明図である。
　１：カメラ本体、２：レンズ鏡胴、３：グリップ装　置、４：フォーカスリング、４ａ：フォーカス用リングギヤ、５：ズームリング、５ａ：ズーム用リングギヤ、６：アイリスリング、６ａ：アイリス用リングギヤ、７：グリップ本体、７ａ：ベース部、７ｂ：カバ一部、８：バンド、１０：フォーカス駆動機構、１１：フォーカス駆動用モータ、１２：伝達ギヤ、１４：クラッチギャ、１５：駆動ギヤ、２０：ズーム駆動機構、２１：ズーム駆動用モータ、２２：伝達ギヤ、２３：クラッチギヤ、３０：アイリス駆動機構、３１：アイリス駆動用モータ、３２：伝達軸、４０：基板、５０：ズーム操作部材、６０：フォーカスクラッチ操作部材、６０：操作軸、６０ｂ：偏心ピン、６１：ズームクラッチ操作部材、６１ａ：操作軸、６１ｂ：偏心ピン。